(57)【要約】【課題】災害発生時にテレビ放送信号のＡＣキャリアを利用して緊急災害情報を送信してくる放送局からのテレビ放送信号を受信し、受信信号に緊急災害情報が含まれていれば、その旨を周囲に報知し、且つ、テレビ受信装置等の外部装置を動作させることにより、周囲の安全性を向上させる緊急災害情報受信装置を提供する。【解決手段】緊急地震速報受信処理では、ＡＣ復調部にて緊急地震速報が復元されると、その旨を表示部に表示する(S110)と共に、使用者の設定に従い警報音発生部から警報音を発生させる(S130)。また、エレベータ等の外部機器を安全に動作させるための制御信号を出力端子８から出力する(S190)と共に、外部のテレビ受信装置に対し、緊急放送を受信させるための指令信号（電源オン指令、緊急放送選局指令）を、リモコン送信部から送信させる(S170、S180)。【選択図】図２
2013211754.tif 000002
【特許請求の範囲】
【請求項１】
災害発生時にテレビ放送信号を構成する伝送制御用のＡＣキャリアを利用して緊急災害情報を送信してくる放送局、からのテレビ放送信号を受信する受信手段と、
該受信手段にて受信されたテレビ放送信号の中から前記ＡＣキャリアを抽出し、前記緊急災害情報を復元する情報復元手段と、
前記情報復元手段にて前記緊急災害情報が復元されると、その旨を周囲に報知する報知手段と、
前記情報復元手段にて前記緊急災害情報が復元されると、その復元された緊急災害情報に応じて外部機器を動作させるための制御信号を出力する制御信号出力手段と、
を備えたことを特徴とする緊急災害情報受信装置。
【請求項２】
前記制御信号出力手段は、前記制御信号として、テレビ受信装置に対し遠隔操作用の無線信号を送信し、災害発生時に緊急放送を行う放送チャンネルを受信させることを特徴とする請求項１に記載の緊急災害情報受信装置。
【請求項３】
前記テレビ受信装置が外部電源から電源供給を受けて動作しているか否かを判断する動作状態判定手段を備え、
前記制御信号出力手段は、前記動作状態判定手段にて前記テレビ受信装置が動作停止中であると判定されると、前記制御信号として、前記テレビ受信装置の電源を投入するための無線信号を送信した後、前記放送チャンネルを受信させるための無線信号を送信することを特徴とする請求項２に記載の緊急災害情報受信装置。
【請求項４】
ラジオ放送を受信・復調し、復調した音声信号をスピーカに出力するラジオ受信手段を備え、
前記報知手段は、前記情報復元手段にて前記緊急災害情報が復元されると、前記ラジオ受信手段に、災害発生時に緊急放送を行うラジオ放送を選局させることを特徴とする請求項１〜請求項３の何れか１項に記載の緊急災害情報受信装置。
【請求項５】
前記緊急災害情報受信装置は、前記放送局から直接若しくは中継局を介して伝送されてくるテレビ放送電波を受信し、該受信信号の信号レベルを測定して、該測定結果を使用者に通知する信号レベル測定装置に内蔵されていることを特徴とする請求項１〜請求項４の何れか１項に記載の緊急災害情報受信装置。
【発明の詳細な説明】
【技術分野】
【０００１】
本発明は、災害発生時にテレビ放送信号を利用して緊急災害情報を送信してくる放送局からのテレビ放送信号を受信し、受信信号に緊急災害情報が含まれているとき、その旨を周囲に報知する緊急災害情報受信装置に関する。
【背景技術】
【０００２】
従来、テレビ放送信号を利用して緊急地震速報を送信する場合、テレビ放送の映像情報に緊急地震速報を含めるようにされている。
しかし、この方法では、受信装置側で受信信号から映像情報を復元する際のデジタル信号処理等で遅延（約２秒）が生じることから、受信装置側で緊急地震速報を含むテレビ放送信号を受信してから、緊急地震速報を使用者に通知するまでに時間がかかるという問題があった。
【０００３】
そこで、従来、受信装置側での緊急地震速報の通知の遅れを低減する伝送方法として、テレビ放送の字幕機能である文字スーパを利用して緊急地震速報を伝送する方法、テレビ放送におけるデータ放送を利用して緊急地震速報を伝送する方法、テレビ放送信号を構成する伝送制御用のＡＣ（Auxiliary Channel ）キャリアを利用して緊急地震速報を伝送する方法、等が考えられている。
【０００４】
そして、この内、伝送制御用のＡＣキャリアを利用する伝送方法では、受信装置側で、テレビ放送信号に含まれるＡＣキャリアから緊急地震速報を復元することができ、その復元に、複雑なデジタル信号処理を行う必要がない。
【０００５】
従って、この伝送方式では、受信装置側で、他の伝送方法に比べて緊急地震速報を速やかに復元することができ、使用者に対し地震の発生等を速やかに通知することができるようになる。
【０００６】
そこで、従来、ＡＣキャリアを利用して緊急地震速報等の緊急災害情報を送信する放送局や、その放送局から送信されたテレビ放送信号に含まれるＡＣキャリアから緊急災害情報を復元し、表示画面やスピーカを利用して緊急災害情報を使用者に通知するテレビ受信装置の構成についても提案されている（例えば、特許文献１参照）。
【先行技術文献】
【特許文献】
【０００７】
【特許文献１】特許第４４１７９６５号公報
【発明の概要】
【発明が解決しようとする課題】
【０００８】
しかしながら、上記提案の技術は、通常のテレビ放送を受信するテレビ受信装置に、緊急災害情報の受信機能を付加することで、ＡＣキャリアを利用して放送局から伝送されてきた緊急地震速報等の緊急災害情報を復元し、その復元した緊急災害情報を映像及び音声にて使用者に通知するための技術である。
【０００９】
このため、上記提案の技術は、緊急災害情報の受信機能を有するテレビ受信装置を新たに開発・製造する際には利用できるが、こうした受信機能を持たない既存のテレビ受信装置に対し、災害発生時に特定の放送局にて実施される災害放送を強制的に受信させることはできなかった。
【００１０】
また、緊急災害情報を受信した場合、使用者にその旨を通知するだけでなく、地震等の災害の影響を受ける機器（例えば、エレベータや各種施設の出入口のロック機構等）の動作を停止させるとよいが、従来、こうした災害対策機能については考えられていなかった。
【００１１】
本発明は、こうした問題に鑑みなされたものであり、災害発生時にテレビ放送信号のＡＣキャリアを利用して緊急災害情報を送信してくる放送局からのテレビ放送信号を受信し、受信信号に緊急災害情報が含まれているとき、その旨を周囲に報知するだけでなく、テレビ受信装置等の外部装置を動作させることにより、周囲の安全性を向上させることのできる緊急災害情報受信装置を提供することを目的とする。
【課題を解決するための手段】
【００１２】
かかる目的を達成するためになされた請求項１に記載の緊急災害情報受信装置は、
災害発生時にテレビ放送信号を構成する伝送制御用のＡＣキャリアを利用して緊急災害情報を送信してくる放送局、からのテレビ放送信号を受信する受信手段と、
該受信手段にて受信されたテレビ放送信号の中から前記ＡＣキャリアを抽出し、前記緊急災害情報を復元する情報復元手段と、
前記情報復元手段にて前記緊急災害情報が復元されると、その旨を周囲に報知する報知手段と、
前記情報復元手段にて前記緊急災害情報が復元されると、その復元された緊急災害情報に応じて外部機器を動作させるための制御信号を出力する制御信号出力手段と、
を備えたことを特徴とする。
【００１３】
また、請求項２に記載の発明は、請求項１に記載の緊急災害情報受信装置において、前記制御信号出力手段は、前記制御信号として、テレビ受信装置に対し遠隔操作用の無線信号を送信し、災害発生時に緊急放送を行う放送チャンネルを受信させることを特徴とする。
【００１４】
また、請求項３に記載の発明は、請求項２に記載の緊急災害情報受信装置において、
前記テレビ受信装置が外部電源から電源供給を受けて動作しているか否かを判断する動作状態判定手段を備え、
前記制御信号出力手段は、前記動作状態判定手段にて前記テレビ受信装置が動作停止中であると判定されると、前記制御信号として、前記テレビ受信装置の電源を投入するための無線信号を送信した後、前記放送チャンネルを受信させるための無線信号を送信することを特徴とする。
【００１５】
また、請求項４に記載の発明は、請求項１〜請求項３の何れか１項に記載の緊急災害情報受信装置において、
ラジオ放送を受信・復調し、復調した音声信号をスピーカに出力するラジオ受信手段を備え、
前記報知手段は、前記情報復元手段にて前記緊急災害情報が復元されると、前記ラジオ受信手段に、災害発生時に緊急放送を行うラジオ放送を選局させることを特徴とする。
【００１６】
また、請求項５に記載の発明は、請求項１〜請求項４の何れか１項に記載の緊急災害情報受信装置において、当該緊急災害情報受信装置は、前記放送局から直接若しくは中継局を介して伝送されてくるテレビ放送電波を受信し、該受信信号の信号レベルを測定して、該測定結果を使用者に通知する信号レベル測定装置に内蔵されていることを特徴とする。
【発明の効果】
【００１７】
請求項１に記載の緊急災害情報受信装置においては、受信手段が、テレビ放送信号のＡＣキャリアを利用して緊急災害情報を送信してくる放送局からのテレビ放送信号を受信し、情報復元手段が、その受信されたテレビ放送信号の中からＡＣキャリアを抽出し、緊急災害情報を復元する。
【００１８】
そして、情報復元手段にて緊急災害情報が復元されると（換言すれば、災害発生に伴い放送局から緊急災害情報を含むテレビ放送信号が送信されてくると）、報知手段が、その旨を周囲に報知し、制御信号出力手段が、情報復元手段にて復元された緊急災害情報に応じて外部機器を動作させるための制御信号を出力する。
【００１９】
このため、本発明の緊急災害情報受信装置によれば、テレビ放送信号のＡＣキャリアを利用して放送局から送信されてきた緊急災害情報を復元した際、その旨を周囲に報知することで、使用者に対し、緊急災害情報の受信（換言すれば地震等の災害の発生）を速やかに通知することができる。
【００２０】
また、本発明の緊急災害情報受信装置によれば、緊急災害情報を復元すると、外部機器を動作させるための制御信号を出力することから、地震等の災害が発生した際に、例えば、外部機器としてのテレビ受信装置に災害発生時に緊急放送を行う放送チャンネルを受信させるとか、或いは、外部機器としてのエレベータを最寄りの階で停止させて扉を開放させる、といったことが可能となり、延いては、周囲の安全性を向上することができる。
【００２１】
ここで、緊急災害情報を復元した際、外部機器としてのテレビ受信装置に、災害発生時に緊急放送を行う放送チャンネルを受信させるようにするには、制御信号出力手段を、テレビ受信装置に対し遠隔操作用の無線信号を送信するよう構成するとよい。
【００２２】
つまり、テレビ受信装置には、通常、遠隔操作用のリモートコントロール装置（以下、リモートコントロールをリモコンという）から無線送信された送信信号を受信し、その受信信号に従い電源のオン・オフ、受信チャンネルの切り換え等を行うリモコン受信器が設けられている。
【００２３】
そこで、制御信号出力手段を、こうしたリモコン受信器に対し、テレビ受信装置の電源を入れて受信チャンネルを所定の放送チャンネルに切り換えるための制御信号を送信するよう、構成するのである。
【００２４】
そして、このように構成すれば、緊急災害情報受信装置が、ＡＣキャリアを利用して放送局から送信された緊急災害情報を受信した際、その緊急災害情報の受信機能を持たない既存のテレビ受信装置に対し、緊急時の災害放送を行う放送チャンネルを極めて簡単に選局させることができる。
【００２５】
また、こうしたテレビ受信装置の遠隔操作によって、テレビ受信装置の周囲の者は、災害の状況をリアルタイムで詳細に検知することができる。
なお、このように制御信号出力手段からテレビ受信装置に対し制御信号を送信する際、テレビ受信装置の電源が既にオン状態になっている場合には、テレビ受信装置の電源をオンする必要はない。
【００２６】
また、テレビ受信装置によっては、電源のオン・オフを切り換えるための制御信号が同じになっていることがあるので、その制御信号を送信することにより、テレビ受信装置の電源を遮断してしまうことも考えられる。
【００２７】
そこで、緊急災害放送を受信したとき、テレビ受信装置に対し所定の放送チャンネルをより確実に選局させるには、請求項３に記載のように、緊急災害情報受信装置に、テレビ受信装置が外部電源から電源供給を受けて動作しているか否かを判断する動作状態判定手段を設け、動作状態判定手段にてテレビ受信装置が動作停止中であると判定されているときにだけ、制御信号出力手段が、制御信号として、テレビ受信装置の電源を投入するための無線信号を送信した後、放送チャンネルを受信させるための無線信号を送信するように構成するとよい。
【００２８】
一方、制御信号出力手段は、テレビ受信装置に制御信号を出力するのではなく、エレベータ等、災害発生時に安全性を確保する必要がある外部機器に対し、制御信号を出力して、外部機器の動作を安全側に切り換えるようにしてもよい。
【００２９】
なお、制御信号出力手段が制御信号を出力することにより、外部機器を安全側に切り換える際の具体的制御例としては、下記の制御が考えられる。
・エレベータやエスカレータを止める。
【００３０】
・ガソリンスタンドでの給油を止める。
・自動ドアを開放状態にする。
・路線バス、高速バス、タクシー等を止める。
【００３１】
・水を溜める。
・人が集まる施設内で警報・案内用の音声放送を流す。
そして、このような目的で、外部機器に制御信号を出力するよう制御信号出力手段を構成した際には、テレビ受信装置への制御信号の出力機能を持たせる必要はないが、こうしたテレビ受信装置への出力機能がないと、緊急災害情報受信装置の近傍に居るものに対し、緊急放送を視聴させることができなくなる。
【００３２】
また、テレビ受信装置への制御信号の出力機能があっても、停電等が発生すれば、テレビ受信装置を介して、周囲の者に緊急放送を視聴させることができない。
このため、緊急災害情報受信装置には、更に、請求項４に記載のように、ラジオ放送を受信・復調し、復調した音声信号をスピーカに出力するラジオ受信手段を設け、情報復元手段にて緊急災害情報が復元されると、報知手段が、ラジオ受信手段に対し、災害発生時に緊急放送を行うラジオ放送を選局させるように構成するとよい。
【００３３】
次に、本発明の緊急災害情報受信装置は、請求項５に記載のように、放送局から直接若しくは中継局を介して伝送されてくるテレビ放送電波を受信し、その受信信号の信号レベルを測定して、測定結果を使用者に通知する信号レベル測定装置（所謂レベルチェッカ）に内蔵してもよい。
【００３４】
つまり、信号レベル測定装置は、テレビ放送電波を受信する受信アンテナの方向調整等を行うために、受信アンテナが設置される高所で使用されることが多い。そして、高所では、緊急災害情報の受信をより速やかに作業者に通知して、作業者自身が速やかに安全対策を行えるようにする必要がある。
【００３５】
このため、本発明の緊急災害情報受信装置を信号レベル測定装置に内蔵すれば、信号レベル測定装置を持った作業者が高所に居るような場合に、緊急災害情報をより速やかに作業者に通知して、安全性を確保させることができる。
【図面の簡単な説明】
【００３６】
【図１】実施形態の緊急地震速報受信装置の構成を表すブロック図である。
【図２】図１の制御部にて実行される緊急地震速報受信処理を表すフローチャートである。
【図３】緊急地震速報受信装置の変形例を表すブロック図である。
【図４】信号レベル測定装置の構成を表すブロック図である。
【発明を実施するための形態】
【００３７】
以下に本発明の実施形態を図面と共に説明する。
本実施形態の緊急地震速報受信装置（以下、単に受信装置ともいう）２は、テレビ放送信号を構成するセグメント毎に付与される伝送制御用のＡＣ（Auxiliary Channel ）キャリアを利用して緊急地震速報を送信してくる放送局、からの放送信号を選局・復調することで、緊急地震速報を取得し、その旨を周囲に報知するためのものである。
【００３８】
このため、本実施形態の受信装置２には、図１に示すように、テレビ放送電波を受信する受信アンテナ４からの受信信号を、同軸ケーブル等を介して入力するための入力端子６や、この入力端子６に入力された受信信号の中から、ＡＣキャリアを利用して緊急地震速報を送信してくる放送局からの放送信号を選局する選局部１０が設けられている。
【００３９】
なお、この選局部１０が選局する放送局のチャンネル（選局チャンネル）は、後述の操作部２２及び制御部２０を介して、使用者により設定される。
選局部１０は、上述した特定の放送局からの放送信号をベースバンドの放送信号に周波数変換するものであり、その周波数変換された放送信号は、Ａ／Ｄ変換部１２でＡ／Ｄ変換された後、ＯＦＤＭ復調部１４にて、テレビ放送信号を構成する１３セグメントの放送データに復調され、更に、ＡＣ復調部１６にて、ＯＦＤＭ復調部にて復調された放送データに含まれるＡＣキャリアが抽出されて、そのＡＣキャリアから緊急地震速報が復元される。
【００４０】
なお、本実施形態では、ＡＣ復調部１６は、ＯＦＤＭ復調部１４にて復調された１３セグメントの放送データのうち、予め設定された特定セグメントの放送データ（ワンセグ放送用の放送データ）からＡＣキャリアを抽出し、緊急地震速報を復元するように構成される。
【００４１】
これは、１３セグメントの全放送データ（若しくは複数の放送データ）からＡＣキャリアを抽出して、その複数のＡＣキャリアから緊急地震速報を復元する場合に比べて、復元時の冗長性は低くなるものの、緊急地震速報をより短時間で復元できるからである。
【００４２】
従って、ＡＣ復調部１６は、ＯＦＤＭ復調部１４にて復調された１３セグメントの放送データの全放送データ（若しくはその中から選択される複数の放送データ）からＡＣキャリアを抽出して、その複数のＡＣキャリアから緊急地震速報を復元するようにしてもよい。
【００４３】
次に、ＡＣ復調部１６にて復元された緊急地震速報は、ＣＰＵ、ＲＯＭ、ＲＡＭ等を中心として構成されたマイクロコンピュータ（マイコン）からなる制御部２０に入力される。
【００４４】
また、制御部２０には、使用者が各種指令を入力するための操作部２２、各種情報を表示するための表示部２４、警報音を発生する警報音発生部２６、外部のテレビ受信装置を遠隔操作するための制御信号（リモコン信号）を送信するリモコン送信部２８、テレビ受信装置以外の外部機器（上述したエレベータ等）に制御信号を出力するための出力端子８等が接続されている。
【００４５】
なお、緊急地震速報受信装置２には、電源プラグ３０を介して外部電源（商用電源等）から電源供給を受けて動作する定電圧電源回路３２が設けられており、制御部２０を含む上記各部は、定電圧電源回路３２にて生成された電源電圧（直流定電圧）を受けて動作する。
【００４６】
また、緊急地震速報受信装置２には、電源プラグ３０から定電圧電源回路３２に至る電源ラインに接続されて、外部のテレビ受信装置に外部電源を供給するための電源コンセント３４が設けられており、電源プラグ３０から電源コンセント３４に至る電源供給経路には、外部のテレビ受信装置に流れる電源電流を検出する電流検出回路３６が設けられている。そして、この電流検出回路３６による検出結果は、制御部２０に入力される。
【００４７】
また、制御部２０から選局部１０には、操作部２２を介して入力される使用者からの選局指令に従い、選局チャンネルが指定され、選局部１０は、その選局チャンネルのテレビ放送信号をベースバンドに周波数変換する。
【００４８】
次に、制御部２０は、電源プラグ３０を介して定電圧電源回路３２に電源が投入されることにより起動し、その後、ＣＰＵがＲＯＭに記憶された制御プログラムを実行することで、図２に示す緊急地震速報受信処理を繰り返し実行する。
【００４９】
そして、この緊急地震速報受信処理では、ＡＣ復調部１６にてテレビ放送信号のＡＣキャリアから緊急地震速報が復元されたか否かを判定して、緊急地震速報が復元されたときに、表示部２４にその旨を表示し、警報音発生部２６から警報音を発生させることで、緊急地震速報受信装置２の周囲に、緊急地震速報の受信を通知すると共に、外部のテレビ受信装置に緊急地震速報に関連した緊急放送を受信させ、テレビ受信装置以外の外部機器の動作を地震発生時の動作に切り換える。
【００５０】
すなわち、緊急地震速報受信処理が開始されると、まずＳ１００（Ｓはステップを表す）にて、ＡＣ復調部１６が緊急地震速報を復元したか否かを判断することにより、当該緊急地震速報受信装置２にて緊急地震速報が受信されるのを監視する。
【００５１】
そして、Ｓ１００にて、緊急地震速報が復元されたと判断されると、Ｓ１１０に移行して、表示部２４に緊急地震速報の内容、若しくは、緊急地震速報を受信した旨を表示することで、周囲に緊急地震速報の受信を報知し、Ｓ１２０に移行する。
【００５２】
Ｓ１２０では、当該緊急地震速報受信装置２の動作モードとして、緊急地震速報の受信時に「警報音を出力すること」が設定されているか否かを判定する。
そして、「警報音を出力すること」が設定されていれば、Ｓ１３０に移行して、警報音発生部２６から警報音を発生させると共に、その発生時間を制御するタイマに予め設定された警報時間をセットした後、Ｓ１４０に移行し、「警報音を出力すること」が設定されていなければ、そのまま、Ｓ１４０に移行する。
【００５３】
なお、緊急地震速報受信装置２の動作モードは、操作部２２を介して、使用者により予め設定される。
次に、Ｓ１４０では、当該緊急地震速報受信装置２の動作モードとして、電流検出回路３６により検出された電流に基づき、外部のテレビ受信装置が動作中か否かを監視する「電源監視モード」が設定されているか否かを判定する。
【００５４】
そして、「電源監視モード」が設定されていれば、Ｓ１５０に移行し、逆に、「電源監視モード」が設定されていなければ、Ｓ１７０に移行する。
Ｓ１５０では、電流検出回路３６から検出電流を読み込み、Ｓ１６０にて、その読み込んだ検出電流が予め設定された動作判定用の閾値以上か否かを判断することにより、外部のテレビ受信装置が既に電源投入されていて動作中であるか否か、を判断する。
【００５５】
そして、Ｓ１６０にて、外部のテレビ受信装置が動作中であると判断されると、Ｓ１８０に移行し、逆に、Ｓ１６０にて、外部のテレビ受信装置は電源が遮断されていて動作を停止していると判断されると、Ｓ１７０に移行する。
【００５６】
Ｓ１７０では、リモコン送信部２８から、外部のテレビ受信装置の電源をオンするための指令信号（電源オン指令）を送信することで、外部のテレビ受信装置の電源をオンさせ、Ｓ１８０に移行する。
【００５７】
また、Ｓ１８０では、リモコン送信部２８から、外部のテレビ受信装置に緊急地震速報に関連した緊急放送を実施している放送チャンネルを受信させるための指令信号（緊急放送選局指令）を送信することで、外部のテレビ受信装置に緊急放送を受信させる。
【００５８】
そして、最後に、Ｓ１９０にて、出力端子８から、テレビ受信装置以外の外部機器に対し、例えば、外部機器を地震発生時に安全に動作させる（若しくはその動作を停止させる）ための制御信号を出力し、当該緊急地震速報受信処理を終了する。
【００５９】
なお、この緊急地震速報受信処理は、Ｓ１９０の処理後、一旦終了すると、その後、制御部２０が再起動されるまで、実施されない。また、制御部２０の再起動は、外部電源の電源コンセントから電源プラグ３０を一旦抜いて、再度、電源プラグ３０をその電源コンセントに挿入することにより、行われる。
【００６０】
以上説明したように、本実施形態の受信装置２によれば、ＡＣ復調部１６にて緊急地震速報が復元されると、その旨が表示部２４に表示されると共に、必要に応じて（換言すれば使用者による設定に基づき）、警報音発生部２６から警報音が発生される。
【００６１】
このため、本実施形態の受信装置２によれば、テレビの放送局から緊急地震速報が送信されたこと（或いは、その緊急地震速報の内容）を、装置周囲にいる使用者等に速やかに通知し、その地域で地震が発生することを速やかに通知することができる。
【００６２】
また、本実施形態の受信装置２によれば、ＡＣ復調部１６にて緊急地震速報が復元されると、外部機器を安全に動作させるための制御信号を出力端子８から出力すると共に、外部のテレビ受信装置に対し、緊急放送を受信させるための指令信号（電源オン指令、緊急放送選局指令）を、リモコン送信部２８から送信させる。
【００６３】
このため、本実施形態の受信装置２によれば、例えば、外部機器としてのエレベータを最寄りの階で停止させて扉を開放させるとか、或いは、外部のテレビ受信装置に緊急放送を受信させて、地震情報をリアルタイムで報知する、といったことができるようになり、周囲の安全性を向上することができる。
【００６４】
また、本実施形態の受信装置２は、緊急地震速報を、地震発生時の安全性向上のために積極的に利用することになるので、緊急地震速報の有効利用を図ることもできる。
なお、本実施形態では、緊急地震速報受信装置２の動作モードとして、電流検出回路３６により検出された電流に基づき、外部のテレビ受信装置が動作中か否かを監視する「電源監視モード」を設定できるようにされている。
【００６５】
そして、「電源監視モード」が設定されている場合には、電流検出回路３６による検出電流に基づき、外部のテレビ受信装置が動作中であるか否かを判断して、動作中でないときに、外部のテレビ受信装置に電源オン指令を送信した後、緊急放送選局指令を送信し、動作中であれば、電源オン指令を送信することなく、緊急放送選局指令を送信する。
【００６６】
これは、テレビ受信装置には、テレビ受信装置の電源が既にオン状態になっているときに、テレビ受信装置の電源をオンする電源オン指令（この場合、電源のオン・オフ切換指令）を送信すると、電源をオフ状態に切り換えるものがあるので、このようなテレビ受信装置に対し、テレビ受信装置の動作中に、電源オン指令を送信してしまうのを防止するためである。
【００６７】
なお、リモコン送信部２８からの送信させる電源オン指令、緊急放送選局指令等の指令信号は、外部のテレビ受信装置の機種や製造会社に応じて、外部のテレビ受信装置を遠隔操作可能なものが使用される。
【００６８】
そして、このために、制御部２０のＲＯＭには、テレビ受信装置の機種や製造会社毎に、リモコン送信部２８から電源オン指令、緊急放送選局指令等の指令信号を送信させるための制御情報が記憶されており、使用者は、操作部２２を介して、その記憶された制御情報の中から、外部のテレビ受信装置に対応した制御情報を選択することで、リモコン送信部２８から送信させる指令信号により、外部のテレビ受信装置を遠隔操作できるようにする。
【００６９】
ここで、本実施形態では、選局部１０が、本発明の受信手段に相当し、Ａ／Ｄ変換部１２、ＯＦＤＭ復調部１４、及びＡＣ復調部１６が、本発明の情報復元手段に相当する。
また、本発明の報知手段としての機能は、表示部２４及び警報音発生部２６と、これら各部を制御する制御部２０の動作（詳しくはＳ１１０〜Ｓ１３０の処理）により、実現される。
【００７０】
また、本発明の制御信号出力手段としての機能は、リモコン送信部２８及び電流検出回路３６と、電流検出回路３６による検出信号等に基づきリモコン送信部２８から指令信号を送信させると共に、出力端子８から外部機器の制御信号を送信させる、制御部２０の動作（詳しくはＳ１７０〜Ｓ１９０の処理）により、実現される。
【００７１】
以上、本発明の一実施形態について説明したが、本発明は上記実施形態に限定されるものではなく、本発明の要旨を逸脱しない範囲内にて、種々の態様をとることができる。
例えば、上記実施形態では、受信装置２内にリモコン送信部２８を設けて、緊急地震速報を受信した際には、外部のテレビ受信装置に緊急放送を受信させるための指令信号を送信するものとして説明したが、受信装置２内には、必ずしもテレビ受信装置の遠隔操作用のリモコン送信部２８を設ける必要はなく、緊急地震速報の受信時には、単に、制御部２０から、出力端子８を介して、テレビ受信装置を含む所望の外部機器に制御信号を送信するようにしてもよい。
【００７２】
また、図３に例示するように、受信装置２に、ラジオ受信手段としてのラジオチューナ４０と、ラジオチューナ４０により受信・復調されたラジオ放送の音声を出力するスピーカ４２を内蔵し、ＡＣ復調部１６にて、緊急地震速報が復元された際には、ラジオチューナに対し、緊急地震放送を実施しているラジオ放送を選局させるようにしてもよい。
【００７３】
一方、上記実施形態では、受信装置２は、単体で構成され、外部電源から電源供給を受けて動作するものとして説明したが、電池を内蔵し、その電池から電源供給を受けて動作するようにしてもよく、或いは、他の装置に組み込むようにしてよい。
【００７４】
そして、例えば、図３に示したラジオチューナ内蔵型の受信装置２の場合、図４に示すように、テレビ放送信号の信号レベルを測定する信号レベル測定装置（所謂レベルチェッカ）に組み込むようにしてもよい。
【００７５】
つまり、図４は、上記実施形態と同様のマイコンにて構成された制御部２０が、操作部２２からの選局指令に従い、選局部１０に対し、操作部２２からの選局指令に対応した所定放送チャンネルを選局させると共に、選局部１０から出力されるベースバンドのテレビ放送信号を、可変減衰器４４を介して、所定の測定可能範囲内に調整し、検波部４６から、そのレベル調整後の信号レベルの検波電圧をＡ／Ｄ変換部４８を介して取り込み、その取り込んだ検波電圧と可変減衰器４４の減衰量とから、使用者が指定した放送チャンネルの信号レベルを求め、その測定結果を表示部２４に表示するように構成された信号レベル測定装置５０に、図３に示したラジオチューナ内蔵型の受信装置２の構成要素を組み込むことで、信号レベル測定装置５０単体で、緊急地震速報等の緊急災害情報を受信できるようにしたものである。
【００７６】
そして、このように構成された信号レベル測定装置５０によれば、受信アンテナが設置される高所で受信レベルの測定を行う作業者に対し、緊急災害情報の受信を速やかに通知することができるようになり、高所作業を行う作業者の安全性を高めることができる。
【００７７】
また次に、上記実施形態では、放送局からは、ＡＣキャリアを利用して緊急地震速報が送信されるものとして説明したが、本発明の緊急災害情報受信装置は、放送局から、緊急災害情報として、緊急地震速報以外の緊急災害情報（例えば、暴風、豪雨、豪雪、洪水、高潮、津波、噴火等、異常な自然現象、若しくは、大規模な火事、爆発等による災害に関する緊急災害情報）が送信されるシステムであれば、上記実施形態と同様に適用することができる。
【符号の説明】
【００７８】
２…受信装置（緊急地震速報受信装置）、４…受信アンテナ、６…入力端子、８…出力端子、１０…選局部、１２…Ａ／Ｄ変換部、１４…ＯＦＤＭ復調部、１６…ＡＣ復調部、２０…制御部（マイコン）、２２…操作部、２４…表示部、２６…警報音発生部、２８…リモコン送信部、３０…電源プラグ、３２…定電圧電源回路、３４…電源コンセント、３６…電流検出回路、４０…ラジオチューナ、４２…スピーカ、４４…可変減衰器、４６…検波部、４８…Ａ／Ｄ変換部、５０…信号レベル測定装置。
【図１】
2013211754.tif 000003
【図２】
2013211754.tif 000004
【図３】
2013211754.tif 000005
【図４】
2013211754.tif 000006